(57)【要約】使用の際に容器本体と蓋体とを分離することなく、また素材の復元力によって蓋体が自然に閉まらないようにして、快適に使用することができるようにした閉蓋防止容器を提供する。【解決手段】発泡スチロール製の容器本体２は、略凹状に形成した収容部３と、収容部３の開口端外縁から横方向外側に張り出した下側張り出し縁部４とを一体に成形したものからなる。容器本体２にヒンジ部８を介して一体に成形した蓋体５は蓋部６と蓋部６の外縁から横方向外側に張り出した上側張り出し縁部７とからなる。容器本体２の下側張り出し縁部４から蓋体５の上側張り出し縁部７にかけてヒンジ部８と交差するミシン目からなる折り曲げ線９を一体に設けることにより折曲部１０を形成してある。【選択図】図２
0003124618.tif 000002
【実用新案登録請求の範囲】
【請求項１】
略凹状に形成した収容部と該収容部の開口端外縁から横方向外側に張り出した下側張り出し縁部とからなる容器本体と、蓋部と該蓋部の外縁から横方向外側に張り出した上側張り出し縁部とからなる蓋体とをヒンジ部を介して一体に形成した容器において、前記容器本体の下側張り出し縁部から蓋体の上側張り出し縁部にかけて前記ヒンジ部と交差する折り曲げ線を一体に設けることにより折曲部を形成したことを特徴とする閉蓋防止容器。
【請求項２】
略凹状に形成した収容部と該収容部の開口端外縁から横方向外側に張り出した下側張り出し縁部とからなる容器本体と、蓋部と該蓋部の外縁から横方向外側に張り出した上側張り出し縁部とからなる蓋体とをヒンジ部を介して一体に形成した容器において、前記容器本体の下側張り出し縁部と蓋体の上側張り出し縁部は、該各縁部の外縁から内側方向に切断線を設けることにより、前記ヒンジ部を含む該一対の切断線の間を折曲部としたことを特徴とする閉蓋防止容器。
【請求項３】
前記折曲部は、前記一対の切断線の内端を結んで前記ヒンジ部と交差する折り曲げ線を設けてあることを特徴とする請求項２記載の閉蓋防止容器。
【請求項４】
前記折り曲げ線は、ミシン目で構成していることを特徴とする請求項１又は３記載の閉蓋防止容器。
【請求項５】
前記折り曲げ線は、薄肉折り目で構成していることを特徴とする請求項１又は３記載の閉蓋防止容器。
【請求項６】
前記切断線は、ミシン目で構成していることを特徴とする請求項２記載の閉蓋防止容器。
【請求項７】
前記切断線は、切れ目で構成していることを特徴とする請求項２記載の閉蓋防止容器。
【請求項８】
略凹状に形成した収容部と該収容部の開口端外縁から横方向外側に張り出した下側張り出し縁部とからなる容器本体と、蓋部と該蓋部の外縁から横方向外側に張り出した上側張り出し縁部とからなる蓋体とをヒンジ部を介して一体に形成した容器において、前記容器本体の下側張り出し縁部からヒンジ部を経て蓋体の上側張り出し縁部に至る外縁に、横方向外向きのつばを下方向に折曲可能に設けたことを特徴とする閉蓋防止容器。
【請求項９】
前記つばは、前記下側及び上側張り出し縁部の外縁に沿ったミシン目を設けることにより折曲可能としたことを特徴とする請求項８記載の閉蓋防止容器。
【請求項１０】
前記つばは、前記下側及び上側張り出し縁部の外縁に沿った薄肉折り目を設けることにより折曲可能としたことを特徴とする請求項８記載の閉蓋防止容器。
【考案の詳細な説明】
【技術分野】
【０００１】
本考案は、例えば納豆の収容容器のように、容器本体と蓋体を一体に成形してある容器の使用時に、蓋体が自然に閉じないようにして快適に使用することができる閉蓋防止容器に関する。
【背景技術】
【０００２】
従来、この種の容器としては例えば納豆を入れる容器本体と蓋体とをヒンジ部を介して一体に形成したもの、容器本体と蓋体とをヒンジ部を介して一体に形成してヒンジ部にミシン目を設け、蓋を開けた後は該ミシン目に沿って容器本体と蓋体とを切り離すことができるようにしたものがある。そして、容器の殆どは軽さ、易成形性、コストから発泡スチロールで成形してある。
【考案の開示】
【考案が解決しようとする課題】
【０００３】
上述した容器本体と蓋体とを一体に形成した容器にあっては、使用済みのからしや調味料の袋をテ−ブルや皿等に放置しなければならないため、テーブル等がからし等で汚れるおそれがある。また、使用済みの包装袋を開いた蓋体の裏側に置いたままで容器をテーブル等に置くと容器が傾き使い勝手が悪く、さらに容器本体内の納豆を箸で取り出す作業時には蓋体が傾き、蓋体の裏側に置いた包装袋等が容器本体内に誤って落ち、包装袋やその切れ端が納豆に混入してしまうという問題がある。
【０００４】
加えて、ヒンジ部にミシン目を設けた容器にあっては、容器本体と蓋体とを切り離す作業は必ず両手を必要とするため、箸を持ちながら切り離す作業を行うことは容易ではなく、また、手が不自由な者にとって切り離す作業は大変困難なものである。さらに、切り離すにはある程度力を加える必要があるため、力の加え方を過って容器本体内の納豆をこぼしてしまうこともある。また、切り離した後は容器が容器本体と蓋体の２部材に分離するため、嵩張るという問題もある。
【０００５】
本考案は上述した従来技術の欠点に鑑みなされたもので、容器本体と蓋体とを分離することなく、また素材の復元力によって蓋体が自然に閉まらないようにして、快適に使用することができるようにした閉蓋防止容器を提供することを目的とする。
【課題を解決するための手段】
【０００６】
上記課題を解決するために構成した請求項１に係る本考案の手段は、略凹状に形成した収容部と該収容部の開口端外縁から横方向外側に張り出した下側張り出し縁部とからなる容器本体と、蓋部と該蓋部の外縁から横方向外側に張り出した上側張り出し縁部とからなる蓋体とをヒンジ部を介して一体に形成した容器において、前記容器本体の下側張り出し縁部から蓋体の上側張り出し縁部にかけて前記ヒンジ部と交差する折り曲げ線を一体に設けることにより折曲部を形成したことにある。
【０００７】
請求項２に係る本考案を構成する手段は、略凹状に形成した収容部と該収容部の開口端外縁から横方向外側に張り出した下側張り出し縁部とからなる容器本体と、蓋部と該蓋部の外縁から横方向外側に張り出した上側張り出し縁部とからなる蓋体とをヒンジ部を介して一体に形成した容器において、前記容器本体の下側張り出し縁部と蓋体の上側張り出し縁部は、該各縁部の外縁から内側方向に切断線を設けることにより、前記ヒンジ部を含む該一対の切断線の間を折曲部としたことにある。
【０００８】
そして、前記折曲部は、前記一対の切断線の内端を結んで前記ヒンジ部と交差する折り曲げ線を設けるとよい。
【０００９】
また、前記折り曲げ線は、ミシン目で構成するとよい。
【００１０】
また、前記折り曲げ線は、薄肉折り目で構成するとよい。
【００１１】
また、前記切断線は、ミシン目で構成するとよい。
【００１２】
更に、前記切断線は、切れ目で構成するとよい。
【００１３】
請求項８に係る本考案を構成する手段は、略凹状に形成した収容部と該収容部の開口端外縁から横方向外側に張り出した下側張り出し縁部とからなる容器本体と、蓋部と該蓋部の外縁から横方向外側に張り出した上側張り出し縁部とからなる蓋体とをヒンジ部を介して一体に形成した容器において、該容器本体の下側張り出し縁部からヒンジ部を経て蓋体の上側張り出し縁部に至る外縁に、横方向外向きのつばを下方向に折曲可能に設けたことにある。
【００１４】
そして、前記つばは、前記下側及び上側張り出し縁部の外縁に沿ったミシン目を設けることにより折曲可能とするとよい。
【００１５】
更に、前記つばは、前記下側及び上側張り出し縁部の外縁に沿った薄肉折り目を設けることにより折曲可能とするとよい。
【考案の効果】
【００１６】
本考案は、上述の構成とすることにより以下の諸効果を奏する。
（１）蓋体が自然に閉じるのを防止することができるため、容器本体内の物を取り出す際に蓋体が邪魔になることがなく、また、蓋体の裏側に使用済みの包装袋や切れ端を置いた場合、それらが容器本体内に過って落ちるのを防ぐことができる。
（２）片手でも閉蓋防止のための折曲部を折り曲げることができるので、片手に箸等を持ちながら、または手が不自由な者でも容易に折り曲げる作業をすることができる。
（３）張り出し縁部の一部を折り曲げるだけなのであまり力を必要とせず、過って容器を破断してしまうことがないし、折り曲げる際に容器本体内の物を過って落とすことがない。
（４）容器本体と蓋体は切り離さずに一体のままであるため、使用中も使用後においても嵩張ることがない。
（５）折り曲げ線としてミシン目又は薄肉折り目を設けたことにより、折り曲げ作業をより小さな力できれいに行うことができるし、また、確実に折り曲げることができるため折曲部が自然に起き上がることを防止することができる。
（６）切断線を設けて折曲部の長さを短くしたことにより、折曲部の折り曲げ操作を僅かな力で容易に行うことができる。
（７）切断線と折り曲げ線によって折曲部を形成したことにより、折曲部の折り曲げをさらに僅かな力で容易に確実に、かつ、きれいに行うことができる。
【考案を実施するための最良の形態】
【００１７】
以下、本考案の実施の形態を図面に基き説明する。図１乃至図４は本考案の第１の実施の形態を示す。図１において、１は容器を示す。２は該容器１を構成する容器本体で、該容器本体２は断面略凹状に形成した平面略四角形の収容部３と、該収容部３の開口端外縁を環囲するように横方向外向きに適宜の幅で張り出した下側張り出し縁部４とから構成してある。５は蓋体を示し、該蓋体５は前記収容部３を覆う蓋部６と、該蓋部６の外縁を環囲するように横方向外向きに前記下側張り出し縁部の幅と同じ幅で張り出した上側張り出し縁部７とから構成してあり、閉蓋時には下側張り出し縁部４と上側張り出し縁部７とが衝合するように形成してある。
【００１８】
８は前記下側張り出し縁部４の一側片４Ａと上側張り出し縁部７の一側片７Ａを連結するヒンジ部を示す。該ヒンジ部８を介して容器本体２と蓋体５は一体に形成してあり、ヒンジ部８が屈曲することにより蓋体５は開閉可能となっている。
【００１９】
９は前記下側張り出し縁部４から上側張り出し縁部７にかけてヒンジ部８と交差するように設けた折り曲げ線としてのミシン目を示す。該ミシン目９によって、下側張り出し縁部４、上側張り出し縁部７、ヒンジ部８にかけて一体に折曲部１０が形成してある。なお、折り曲げ線として薄肉折り目を設けてもよい。また、該折曲部１０は図４に示すように容器１の両側に夫々設けてもよい。
【００２０】
本実施の形態は上述の構成からなっており、次にその使用方法について説明する。図１に示すように当初、容器１は蓋体５が閉じた状態にある。そして、図２に示すように蓋体５を開蓋し、下側張り出し縁部４と上側張り出し縁部７とが略直線状になるまで蓋体５を開いた後、指を折曲部１０に掛けて下方にわずかに力を加えると、図３に示すように折曲部１０がミシン目９を支点として下側に折れ曲がる。この折曲部１０の折れ曲りにより、ミシン目９より外側のヒンジ部８の部分がヒンジ部８の折れ線方向と略垂直に折れ曲がってヒンジ部８が略Ｌ字状に屈曲するため、復元力が働いてもヒンジ部８は屈曲することができず、蓋体５が自然に閉じるのを防止することができる。
【００２１】
また、蓋体５の裏に使用済みの包装袋や切れ端を置いた場合であっても、上述の通り、蓋体５が自然に閉まろうとして起き上がることはないため、蓋体５が傾くことによって蓋体５の裏に置いた包装袋等が落ちるということを防止することができる。
【００２２】
そして、収容部３内の納豆を取り出した後は、折れ曲がっている折曲部１０に指をかけ該折曲部１０を起こしてヒンジ部８が直線状となる元の状態に戻せばヒンジ部８は再び屈曲可能となるため、蓋体５を閉じることができる。
【００２３】
なお、ミシン目９で折り曲げ線を形成することにより折曲部１０の折り曲げ作業をより小さな力できれいに行うことができ、また、確実に折り曲げることができるため折曲部１０が自然に起き上がることを防止することができる。
【００２４】
図５乃至図８は本考案の第２の実施の形態を示す。なお、本実施の形態及び後述する他の実施の形態において、第１の実施の形態の構成要素と同一の構成要素には同一の符号を付して援用し、その説明を省略する。図において、１１は下側張り出し縁部４の他の片４Ｂにその外縁から内側方向に適宜の長さで下側切断線として設けた下側切れ目を示し、１２は上側張り出し縁部７の他の片７Ｂにその外縁から内側方向に前記下側切れ目１１と同じ長さで上側切断線として設けた上側切れ目を示す。該下側切れ目１１及び上側切れ目１２を設けることによって、下側張り出し縁部４と上側張り出し縁部７には両切れ目１１、１２の間にヒンジ部８を含んで折曲部１３が形成してある。なお、下側切れ目１１及び上側切れ目１２は図８に示すように容器１の両側に夫々設けてもよい。また、切れ目の代わりにミシン目を設けてもよい。
【００２５】
本実施の形態は上述の構成からなっており、次にその使用方法について説明する。図６に示すように、容器１を開蓋して下側張り出し縁部４と上側張り出し縁部７とが略直線状になるまで蓋体５を開いた後、指を折曲部１３に掛けて下方にわずかに力を加えると、図７に示すように折曲部１３が下側に折れ曲がる。この折曲部１３の折れ曲がりにより、ヒンジ部８の端側がヒンジ部８の折れ線方向と略垂直に折れ曲がりヒンジ部８が略Ｌ字状となるため、蓋体５が自然に閉まろうとしてもヒンジ部８は屈曲することができず、蓋体５が自然に閉じるのを防止することができる。そして、下側張り出し縁部４に下側切れ目１１を、上側張り出し縁部６に上側切れ目１２を設けたことにより折曲部１３の長さが短くなり、折曲部１３の折り曲げ作業をより小さな力で確実に行うことができる。
【００２６】
図９乃至図１２は本考案の第３の実施の形態を示す。なお、本実施の形態において、第１の実施の形態及び第２の実施の形態の構成要素と同一の構成要素には同一の符号を付して援用し、その説明を省略する。２１は折り曲げ線として設けたミシン目を示し、該ミシン目２１は、前記下側切れ目１１の内端１１Ａと上側切れ目１２の内端１２Ａを結ぶようにしてヒンジ部８と交差して設けてある。かくして、該ミシン目２１と下側切れ目１１及び上側切れ目１２によって下側張り出し縁部４の他の片４Ｂから上側張り出し縁部７の他の片７Ｂにかけてヒンジ部８を含んで一体に折曲部２２が形成してある。なお、折り曲げ線として薄肉折り目を設けてもよく、また、該折曲部２２は図１２に示すように容器１の両側に夫々設けてもよい。
【００２７】
本実施の形態は上述の構成からなっており、次にその使用方法について説明する。図１０に示すように、容器１を開蓋して下側張り出し縁部４と上側張り出し縁部７とが略直線状になるまで蓋体５を開いた後、指を折曲部２２に掛けて下方にわずかに力を加えると、図１１に示すように折曲部２２がミシン目２１を支点にして下側に折れ曲がる。この折曲部２２の折れ曲りにより、ヒンジ部８は折り曲げ線２１より外側の部分がヒンジ部８の折れ線方向に対して略垂直に折れ曲ってヒンジ部８が略Ｌ字状になるため、蓋体５が自然に閉まろうとしてもヒンジ部８は屈曲することができず、蓋体５が自然に閉じるのを防止することができる。
【００２８】
折曲部２２はミシン目２１を支点として折れ曲るので、折り曲げ作業をより小さな力できれいに行うことができ、また、確実に折り曲げることができるため折曲部２２が自然に起き上がることを防止することができる。
【００２９】
図１３乃至図１６は本考案の第４の実施の形態を示す。図において、３１はつばを示し、該つば３１は下側張り出し縁部４の他の片４Ｂからヒンジ部８を経て上側張り出し縁部７の他の片７Ｂに至る外縁に横方向外向きに設けてある。該つば３１にはヒンジ部８の端部分８Ａが伸長している。そして、該つば３１と下側張り出し縁部４、ヒンジ部８及び上側張り出し縁部７との間にはつば３１が折り曲げ可能となるように折り曲げ線としてミシン目３２が設けてある。なお、折り曲げ線として薄肉折り目を設けてもよく、つば３１及びミシン目３２は図１６に示すように容器１の両側夫々に設けてもよい。
【００３０】
本実施の形態は上述の構成からなっており、次にその使用方法について説明する。図１０に示すように、容器１を開蓋して下側張り出し縁部４と上側張り出し縁部７とが略直線状になるまで蓋体５を開いた後、指をつば３１に掛けて下方にわずかに力を加えると、図１５に示すように、つば３１がミシン目３２を支点にして下側に折れ曲る。このつば３１の折れ曲りにより、ヒンジ部８の端部分８Ａがヒンジ部８の折れ線方向に対して略垂直に折れ曲り、ヒンジ部８は略Ｌ字状になるので蓋体５が閉まろうとしてもヒンジ部８は屈曲することができず、蓋体５が自然に閉じるのを防止することができる。
【００３１】
なお、折り曲げ線としてミシン目３２を設けることにより折り曲げ作業をより小さな力できれいに行うことができるし、確実に折り曲げることができるから、折り曲げたつば３１が自然に起き上がることを防止することができる。
【００３２】
本考案に係る閉蓋防止容器として、上述した実施の形態では発泡スチロールで成形したものを例に挙げたが、素材は発泡スチロールに限られず他の合成樹脂材や紙でもよい。また、用途は納豆用容器に限られるものではなく、他の食品や食品以外の物を入れる容器にも本考案は用いることができる。
【図面の簡単な説明】
【００３３】
【図１】図１乃至図４は本考案の第１の実施の形態に係り、図１は閉蓋状態の容器の外観斜視図である。
【図２】開蓋状態の容器の外観斜視図である。
【図３】折曲部を折り曲げた状態の容器の外観斜視図である。
【図４】第１の実施の形態の変形例に係り、折曲部を両側に設けた容器の外観斜視図である。
【図５】図５乃至図８は本考案の第２の実施の形態に係り、図５は閉蓋状態の容器の外観斜視図である。
【図６】開蓋状態の容器の外観斜視図である。
【図７】折曲部を折り曲げた状態の容器の外観斜視図である。
【図８】第２の実施の形態の変形例に係り、折曲部を両側に設けた容器の外観斜視図である。
【図９】図９乃至図１２は本考案の第３の実施の形態に係り、図９は閉蓋状態の容器の外観斜視図である。
【図１０】開蓋状態の容器の外観斜視図である。
【図１１】折曲部を折り曲げた状態の容器の外観斜視図である。
【図１２】第３の実施の形態の変形例に係り、折曲部を両側に設けた容器の外観斜視図である。
【図１３】図１３乃至図１６は本考案の第４の実施の形態に係り、図１３は閉蓋状態の容器の外観斜視図である。
【図１４】開蓋状態の容器の外観斜視図である。
【図１５】折曲部を折り曲げた状態の容器の外観斜視図である。
【図１６】第４の実施の形態の変形例に係り、折曲部を両側に設けた容器の外観斜視図である。
【符号の説明】
【００３４】
１      容器
２      容器本体
３      収容部
４      下側張り出し縁部
５      蓋体
６      蓋部
７      上側張り出し縁部
８      ヒンジ部
９、２１    ミシン目（折り曲げ線）
１０、１３、２２    折曲部
１１    下側切れ目（下側切断線）
１２    上側切れ目（上側切断線）
３１    つば
【図１】
0003124618.tif 000003
【図２】
0003124618.tif 000004
【図３】
0003124618.tif 000005
【図４】
0003124618.tif 000006
【図５】
0003124618.tif 000007
【図６】
0003124618.tif 000008
【図７】
0003124618.tif 000009
【図８】
0003124618.tif 000010
【図９】
0003124618.tif 000011
【図１０】
0003124618.tif 000012
【図１１】
0003124618.tif 000013
【図１２】
0003124618.tif 000014
【図１３】
0003124618.tif 000015
【図１４】
0003124618.tif 000016
【図１５】
0003124618.tif 000017
【図１６】
0003124618.tif 000018